(57)【要約】【課題】本発明による回転検出器用ステータ構造は、端子ピンをステータ体の外周に軸方向に設けることにより端子構造を簡略化することを目的とする。【解決手段】本発明による回転検出器用ステータ構造は、輪状絶縁カバー（３，４）に一体に設けられた端子ピン保持部（７）をステータ体（１）の外周面（１ａ）に設け、端子ピン（６）を軸方向に沿って設けることにより端子構造を簡略化し、軸方向にモータ等の相手側（１０１）を容易化した構成である。【選択図】　　　　図４
2004135406.tif 000002
【特許請求の範囲】
【請求項１】
全体形状が輪状をなし内方へ向けて突出する複数の磁極（２）を有するステータ体（１）と、前記各磁極（２）に互いに一体又は別体よりなる第１、第２輪状絶縁カバー（３，４）を介して設けられたステータ巻線（５）と、前記ステータ巻線（５）を覆うため前記第１、第２輪状絶縁カバー（３，４）に設けられた第１、第２輪状巻線カバー（１０，１１）とを備えた回転検出器用ステータ構造において、
前記第１、第２輪状絶縁カバー（３，４）の一方又は両方と一体に形成され前記ステータ体（１）の外周面（１ａ）に位置する端子ピン保持部（７）と、前記端子ピン保持部（７）に貫通して設けられ前記ステータ体（１）の軸方向に沿って位置する端子ピン（６）とを備え、前記端子ピン（６）は前記端子ピン保持部（７）の両端面から突出していることを特徴とする回転検出器用ステータ構造。
【請求項２】
前記端子ピン（６）は直線長手形状体よりなることを特徴とする請求項１記載の回転検出器用ステータ構造。
【請求項３】
前記第１又は第２輪状巻線カバー（１０，１１）の一部には突出形状をなす突出部（１１ａ）が一体に形成され、前記端子ピン（６）の端部は前記突出部（１１ａ）内に位置していることを特徴とする請求項１又は２記載の回転検出器用ステータ構造。
【発明の詳細な説明】
【０００１】
【発明の属する技術分野】
本発明は、回転検出器用ステータ構造に関し、特に、端子ピンを棒状又は板状の直線長手形状として端子構造を簡略化すると共に、回転検出器に接続されるモータ等の相手側を回転検出器の軸方向に沿ってリード線なしで直接接続させるようにするための新規な改良に関する。
【０００２】
【従来の技術】
従来、用いられていたこの種の回転検出器用ステータ構造としては図５及び図６に示される構成を挙げることができる。（例えば、特許文献１参照）。
すなわち、図５及び図６において符号１で示されるものは全体形状が輪状をなし内方へ向けて所定の角度間隔で突出する複数の磁極２を有するステータ体であり、この各磁極２にはこのステータ体１の両端面に設けられた第１、第２輪状絶縁カバー３、４を介してステータ巻線５が巻回されている。
前記第１輪状絶縁カバー３上には端子ピン６を有する端子ピン保持部７が設けられ、この端子ピン６に形成された圧着端子部８にはコネクタ９Ａのリード線９が接続されている。
前記ステータ巻線５の外側に設けられた第１、第２輪状巻線カバー１０、１１のうち、一方の第１輪状巻線カバー１０の一部に形成された突出部１２によって前記各端子ピン６が覆われている。
尚、図５では、レゾルバ等の回転検出器を構成するためのロータは図示を省略している。
【０００３】
【特許文献１】
米国特許第６，０２８，３８３号明細書
【０００４】
【発明が解決しようとする課題】
従来の回転検出器用ステータ構造は、以上のように構成されていたため、次のような課題が存在していた。
すなわち、端子ピンに設けられた圧着部を介してコネクタを有するリード線が設けられていたため、構造が複雑となり、コストダウンも困難であった。
また、リード線及びコネクタがステータ体の径方向に引き出されているため、回転検出器に接続されるモータ等の部材にコネクタを接続すると、このリード線等が径方向に突出することにより、車載用として用いる場合にスペース上問題となっていた。
【０００５】
本発明は、以上のような課題を解決するためになされたもので、特に、端子ピンを棒状又は板状の直線長手形状として端子構造を簡略化すると共に、回転検出器に接続されるモータ等の相手側を回転検出器の軸方向に沿ってリード線なしで直接接続させるようにした回転検出器用ステータ構造を提供することを目的とする。
【０００６】
【課題を解決するための手段】
本発明による回転検出器用ステータ構造は、全体形状が輪状をなし内方へ向けて突出する複数の磁極を有するステータ体と、前記各磁極に互いに一体又は別体よりなる第１、第２輪状絶縁カバーを介して設けられたステータ巻線と、前記ステータ巻線を覆うため前記第１、第２輪状絶縁カバーに設けられた第１、第２輪状巻線カバーとを備えた回転検出器用ステータ構造において、前記第１、第２輪状絶縁カバーの一方又は両方と一体に形成され前記ステータ体の外周面に位置する端子ピン保持部と、前記端子ピン保持部に貫通して設けられ前記ステータ体の軸方向に沿って位置する端子ピンとを備え、前記端子ピンは前記端子ピン保持部の両端面から突出している構成であり、また、前記端子ピンは直線長手形状体よりなる構成であり、また、前記第１又は第２輪状巻線カバーの一部には突出形状をなす突出部が一体に形成され、前記端子ピンの端部は前記突出部内に位置している構成である。
【０００７】
【発明の実施の形態】
以下、図面と共に本発明による回転検出器用ステータ構造の好適な実施の形態について説明する。尚、従来例と同一又は同等部分には同一符号を付して説明する。
図１から図４において符号１で示されるものは全体形状が輪状をなし内方へ向けて所定の角度間隔で突出する複数の磁極２を有するステータ体であり、この各磁極２にはこのステータ体１の両端面に設けられた第１、第２輪状絶縁カバー３、４を介してステータ巻線５が巻回されている。
【０００８】
前記第１、第２輪状絶縁カバー３、４は、前記ステータ体１を図示しない金型のキャビティ内に設置して射出成形による一体モールドにより一体に形成されているが、第１、第２輪状絶縁カバー３、４を別々に成形してステータ体１の両面に設けるようにすることもできる。
【０００９】
前記第１、第２輪状絶縁カバー３、４と一体に形成された端子ピン保持部７は、前記ステータ体１の外周面１ａに位置し、この端子ピン保持部７にはこの端子ピン保持部７を前記ステータ体１の軸方向に沿って貫通する棒状又は板状の直線長手形状体の端子ピン６が設けられている。尚、この端子ピン６には図示しないがステータ巻線５を巻付けるための切欠が形成されている。
また、前記端子ピン保持部７は、前述のように各輪状絶縁カバー３、４と一体に形成されている構成に限ることなく、前述のように各々別体として形成された第１、第２輪状絶縁カバー３、４の何れか一方と一体に形成された場合も用いることができる。
【００１０】
前記端子ピン６の一端側に突出した相手接続側６ａは前記第１輪状絶縁カバー３側に突出し、前記端子ピン６の他端側に突出した巻線接続側６ｂは前記第２輪状絶縁カバー４側に突出して形成されている。
【００１１】
前記各磁極２には、前述のように前記各輪状絶縁カバー３、４を介してステータ巻線５が巻回され、各スロット２ａ内にステータ巻線５が配設されている。
前記ステータ巻線５は、前記端子ピン６の巻線接続側６ｂに巻付け（からげ）られて接続されている。
【００１２】
前記ステータ体１の両側の各輪状絶縁カバー３、４には、前記各磁極２に巻回されたステータ巻線５を覆って保護するために第１、第２輪状巻線カバー１０、１１が設けられており、第１輪状巻線カバー１０の一部には切欠部１０ａが形成され、この切欠部１０ａに隣接して前記相手接続側６ａが位置している。
前記第２輪状巻線カバー１１の一部には、軸方向に沿って突出した突出形状の突出部１１ａが形成され、この突出部１１ａ内には前記巻線接続側６ｂが位置している。
【００１３】
前述のように構成されたレゾルバ等の回転検出器用ステータ１００をモータ等の相手側１０１に取付ける場合、第１輪状巻線カバー１０を相手側１０１に接合する状態で取付けると、端子ピン６の相手接続側６ａが相手側１０１のコネクタ（図示せず）に接続され、リード線等は不要である。
【００１４】
【発明の効果】
本発明による回転検出器用ステータ構造は、以上のように構成されているため、次のような効果を得ることができる。
すなわち、輪状絶縁カバーに一体に形成された端子ピン保持部がステータ体の外周面側に位置し、端子ピンの形状が棒状で単純であるため、端子構造が従来よりも大幅に簡略化される。
また、端子ピンの相手接続側がステータ体の軸方向に沿って突出し、モータ等の相手側に対して端子ピンのみで接続することができ、相手側に対して簡単で確実に信号系の接続を行うことができる。
また、端子ピンが軸方向にのみ配設され、リード線等も用いないために回転検出器の径方向の寸法を径大化する要素がなく、相手側との接続構造において径方向の寸法を大きくすることがなく、コンパクト化に寄与することができる。
【図面の簡単な説明】
【図１】本発明による回転検出器用ステータ構造を示す断面図である。
【図２】図１のステータ体の左側面図である。
【図３】図１のステータ体の右側面図である。
【図４】図１の拡大断面図である。
【図５】従来のステータ構造を示す平面図である。
【図６】図５の要部の拡大断面図である。
【符号の説明】
１　　ステータ体
１ａ　　外周面
２　　磁極
３、４　　第１、第２輪状絶縁カバー
５　　ステータ巻線
６　　端子ピン
６ａ　　相手接続側
６ｂ　　巻線接続側
７　　端子ピン保持部
１０、１１　　第１、第２輪状巻線カバー
１１ａ　　突出部
【図１】
2004135406.tif 000003
【図２】
2004135406.tif 000004
【図３】
2004135406.tif 000005
【図４】
2004135406.tif 000006
【図５】
2004135406.tif 000007
【図６】
2004135406.tif 000008